(57)【要約】【課題】相手コネクタの嵌合時・嵌合解除時にハウジングの外周壁が上方に変移しないようにしてロック部の信頼性を維持する。【解決手段】複数の端子金具が内部に収容されるハウジング３と、このハウジング３の外周壁７にアーム部１１の一端側が支持され、このアーム部１１の撓み変形により嵌合状態の相手コネクタをロックするロック部１０と、ハウジング３の嵌合面側からハウジング３の内部に挿入されて端子金具の抜けを阻止するフロントホルダ４とを備えたコネクタ１であって、アーム部１１が支持された外周壁７とフロントホルダ４との間に、ハウジング３の外周壁７の撓みを防止する撓み防止係止手段２５Ａを設け、この撓み防止係止手段２５Ａは、ハウジング３の外周壁７に設けられたアリ溝２６ａ，２６ｂと、フロントホルダ４に設けられた係止突起２７ａ，２７ｂとから構成した。【選択図】　　　図１
2004063353.tif 000002
【特許請求の範囲】
【請求項１】
複数の端子金具が内部に収容されるハウジングと、このハウジングの外周壁にアーム部の一端側が支持され、このアーム部の撓み変形により嵌合状態の相手コネクタをロックするロック部と、前記ハウジングの嵌合面側から前記ハウジングの内部に挿入されて前記端子金具の抜けを阻止するフロントホルダとを備えたコネクタであって、
前記アーム部が支持された外周壁と前記フロントホルダとの間に、前記ハウジングの前記外周壁の撓みを防止する撓み防止係止手段を設けたことを特徴とするコネクタ。
【請求項２】
請求項１記載のコネクタであって、
前記撓み防止係止手段は、前記ハウジングの前記外周壁と前記フロントホルダとのいずれか一方に設けられたアリ溝と、他方に設けられ、前記アリ溝に挿入される係止突起とからなることを特徴とするコネクタ。
【請求項３】
請求項１又は請求項２記載のコネクタであって、
前記アリ溝と前記係止突起との少なくともいずれか一方は、前記フロントホルダの前記ハウジングへの挿入方向に向かって徐々に縮小し、前記係止突起が前記アリ溝内に挿入されるに従って密着の度合いが高まることを特徴とするコネクタ。
【請求項４】
請求項１〜請求項３記載のコネクタであって、
前記撓み防止係止手段は、前記アーム部を支持する外周壁の支持部と、この支持部に対応する前記フロントホルダの箇所に設けたことを特徴とするコネクタ。
【発明の詳細な説明】
【０００１】
【発明の属する技術分野】
本発明は、ハウジングにフロントホルダを組み付けることによりハウジング内の端子金具の抜けを阻止するコネクタに関する。
【０００２】
【従来の技術】
この種の従来のコネクタとしては、図１２〜図１５に示すものがある。このコネクタ５０は、図１２〜図１５に示すように、各電線の端部が接続された複数の端子金具（図示せず）と、この複数の端子金具が収容されるハウジング５２と、このハウジング５２に組み付けられるフロントホルダ５３とから構成されている。
【０００３】
ハウジング５２は、略偏平長方形を有し、この内部に多数の端子収容室５４が形成されており、この各端子収容室５４に端子金具がそれぞれ収容されている。各端子収容室５４には、一端側が上面に支持された可撓性係止アーム部（図示せず）が突設されており、この可撓性係止アーム部に端子金具が係止されている。ハウジング５２の外周壁５６の上面には嵌合状態の相手コネクタ（図示せず）をロックするロック部５７が設けられている。このロック部５７は、外周壁５６の上面に一端側が固定され、他端側が自由端とされたアーム部５８と、このアーム部５８の自由端に設けられた係止突起部５９とを有している。
【０００４】
フロントホルダ５３は、前面プレート部６０と、この前面プレート部６０の両側端より後方に延びる左右の側面プレート部６１と、前面プレート部６０の上下端より後方に延びる上面プレート部６２及び下面プレート部６３とを備えている。フロントホルダ５３は、ハウジング５２の嵌合面（前面）側よりハウジング５２に挿入されている。上面プレート部６２及び下面プレート部６３の各後端側には、多数のアーム変形阻止部６４が設けられており、この各アーム変形阻止部６４が端子係止アーム部５５と端子収容室５４の上面との間に介在されている。
【０００５】
次に、上記コネクタ５０の組み付け作業を説明する。ハウジング５２の各端子収容室５４に後方の開口より各端子金具（図示せず）を挿入し、各端子金具が適正な挿入位置まで挿入されると、可撓性係止アーム部（図示せず）が弾性変形により端子金具に係止する。次に、ハウジング５２の嵌合面（前面）側で仮係止状態とされたフロントホルダ５３をハウジング５２に挿入し、本係止状態とする。このフロントホルダ５３の挿入によって各アーム変形阻止部６４が各可撓性係止アーム部と各端子収容室５４の上面との間に挿入される。各アーム変形阻止部６４によって各可撓性係止アーム部の撓み変形が規制され、これによって各端子金具の抜けが阻止される。
【０００６】
このように組み付けられたコネクタ５０に嵌合面（前面）側より相手コネクタ（図示せず）を嵌合すると、相手コネクタの端子（図示せず）が各端子収容室５４に挿入されると共に相手コネクタの被ロック部（図示せず）がロック部５７のアーム部５８の傾斜面５８ａに当接する。この状態より更に相手コネクタが嵌合すると、アーム部５８がＡ矢印方向に撓み変形して相手コネクタの嵌合が許容される。相手コネクタが適正な嵌合位置まで嵌合されると、相手コネクタの端子が端子金具５１に電気的な接続状態となると共に、相手コネクタの被ロック部がロック部５７の係止突起部５９を乗り越える位置となってアーム部５８が弾性復帰変形する。これにより、相手コネクタの被ロック部がコネクタ５０のロック部５７の係止突起部５９に係止し、嵌合状態の相手コネクタがコネクタ５０にロックされる。
【０００７】
又、嵌合状態の相手コネクタとの嵌合を解除するには、ロック部５７のアーム部５８をＡ矢印方向に強制的に撓み変形させ、この状態で相手コネクタをコネクタ５０より引き離せば良い。
【０００８】
【発明が解決しようとする課題】
しかしながら、前記従来のコネクタ５０では、相手コネクタの嵌合過程・嵌合解除過程にあってロック部５７のアーム部５８がＡ矢印方向に撓み変形すると、アーム部５８を支持するハウジング５２の外周壁５６の箇所にはＢ矢印方向の力が作用する。この力によって外周壁５６が上方に変形すると、アーム部５８の撓み復帰変形に基づくロック力が弱くなり、ロック部５７の信頼性が低下するという問題がある。又、ハウジング５２の外周壁５６が上方に変形すると、この変形した外周壁５６が相手コネクタに干渉して相手コネクタのスムーズな嵌合作業や嵌合解除作業ができないという問題がある。特に、ハウジング５２の外周壁５６の薄型化が進む現状では大きな問題であり、外周壁５６の剛性を高めることが必要不可欠である。
【０００９】
そこで、本発明は、前記した課題を解決すべくなされたものであり、相手コネクタの嵌合時・嵌合解除時にハウジングの外周壁が上方に変移することに起因する種々の問題を解消したコネクタを提供することを目的とする。
【００１０】
【課題を解決するための手段】
請求項１の発明は、複数の端子金具が内部に収容されるハウジングと、このハウジングの外周壁にアーム部の一端側が支持され、このアーム部の撓み変形により嵌合状態の相手コネクタをロックするロック部と、前記ハウジングの嵌合面側から前記ハウジングの内部に挿入されて前記端子金具の抜けを阻止するフロントホルダとを備えたコネクタであって、前記アーム部が支持された外周壁と前記フロントホルダとの間に、前記ハウジングの前記外周壁の撓みを防止する撓み防止係止手段を設けたことを特徴とする。
【００１１】
このコネクタでは、相手コネクタの嵌合時・嵌合解除時にロック部のアーム部が撓み変形すると、この撓み変形によってアーム部を支持するハウジングの外周壁の箇所に外周壁を上方に変移させる力が作用し、この力によって外周壁が上方に変移しようとすると、この上方への外力が撓み防止係止手段を介してフロントホルダに伝達されてフロントホルダが外周壁の変移を阻止する。
【００１２】
請求項２の発明は、請求項１記載のコネクタであって、前記撓み防止係止手段は、前記ハウジングの前記外周壁と前記フロントホルダとのいずれか一方に設けられたアリ溝と、他方に設けられ、前記アリ溝に挿入される係止突起とからなることを特徴とする。
【００１３】
このコネクタでは、請求項１の発明の作用に加え、ハウジングの外周壁が上方に変移しようとすると、この上方への外力がアリ溝とそれに嵌合された係止突起を介してフロントホルダに伝達されてフロントホルダが外周壁の変移を阻止する。
【００１４】
請求項３の発明は、請求項１又は請求項２記載のコネクタであって、前記アリ溝と前記係止突起との少なくともいずれか一方は、前記フロントホルダの前記ハウジングへの挿入方向に向かって徐々に縮小し、前記係止突起が前記アリ溝内に挿入されるに従って密着の度合いが高まることを特徴とする。
【００１５】
このコネクタでは、請求項１又は請求項２の発明の作用に加え、アリ溝に係止突起が挿入される当初は、係止突起がアリ溝に対し密着することなく挿入されるため、双方に多少の位置ずれがあってもスムーズに挿入され、アリ溝に係止突起が挿入完了位置まで挿入されると、アリ溝と係止突起とが大きな密着力によって密着されるため、ハウジングの外周壁とフロントホルダとの間に一切ガタ付きがなくなり、外周壁のわずかな変移も阻止できる。
【００１６】
請求項４の発明は、請求項１〜請求項３記載のコネクタであって、前記撓み防止係止手段は、前記アーム部を支持する外周壁の支持部と、この支持部に対応する前記フロントホルダの箇所に設けたことを特徴とする。
【００１７】
このコネクタでは、請求項１〜請求項３の発明の作用に加え、外周壁を上方に変移させようとする力が直接に撓み防止係止手段にかかる。
【００１８】
【発明の実施の形態】
以下、本発明の実施形態を図面に基づいて説明する。
【００１９】
図１〜図５は本発明の第１実施形態を示し、図１はフロントホルダ４が本係止状態のコネクタ１の斜視図、図２はフロントホルダ４が仮係止状態に位置するコネクタ１の一部破断斜視図、図３はハウジング３の斜視図、図４はフロントホルダ４の斜視図、図５はフロントホルダ４が仮係止状態のコネクタ１の斜視図である。
【００２０】
コネクタ１は、図１及び図２に示すように、各電線の端部が接続された複数の端子金具（図示せず）と、この複数の端子金具が収容されるハウジング３と、このハウジング３に組み付けられるフロントホルダ４とから構成されている。
【００２１】
ハウジング３は、図２及び図３に詳しく示すように、略偏平長方形を有し、この内部に多数の端子収容室５が形成されており、この各端子収容室５に端子金具がそれぞれ収容されている。多数の端子収容室５は、上下２段で、且つ、横方向に並設されており、各端子収容室５の前面と後面が外部に開口している。上段の各端子収容室５には、外周壁７の内面より可撓性係止アーム部（図示せず）が延設されており、下段の各端子収容室５には、上下仕切り壁８の下面より可撓性係止アーム部（図示せず）が延設されており、この各可撓性係止アーム部にそれぞれの端子金具が係止されている。
【００２２】
ハウジング３の外周壁７の上面には嵌合状態の相手コネクタ（図示せず）をロックするロック部１０が設けられている。このロック部１０は、外周壁７の支持部７ａに一端側が固定され、自由端である他端側がハウジング３の後方に延びるアーム部１１と、このアーム部１１の自由端の上面に突設された係止突起部１２と、この係止突起部１２の更に自由端側に設けられた操作部１３とから構成されている。アーム部１１は、外周壁７の上面の上方を所定の間隔を保持した状態で配置され、アーム部１１の自由端側の上面を下方に押圧する外力Ａを受けると、外周壁７の上面とのスペースを利用して下方に撓み変形するようになっている。係止突起部１２の前面及びその前方のアーム部１１の一部上面は、傾斜面１２ａに形成されており、係止突起部１２の後面は、垂直面１２ｂに形成されている。
【００２３】
ハウジング３には、嵌合面（前面）側よりフロントホルダ４が挿入可能に構成されていると共に、フロントホルダ４が仮係止する仮被係止部（図示せず）及びフロントホルダ４が本係止する本被係止部１４が設けられている。
【００２４】
フロントホルダ４は、図２及び図４に詳しく示すように、前面プレート部１５と、この前面プレート部１５の両側端より後方に延びる左右の側面プレート部１６と、前面プレート部１５の上下端より後方に延びる上面プレート部１７及び下面プレート部１８とを備え、側面プレート部１６の後方を挿入先端としてハウジング３に挿入されている。前面プレート部１５には上段側の端子挿入口１９が形成されている。上面プレート部１７及び下面プレート部１８の各後端側には、多数の切欠溝２０によって分岐されたアーム変形阻止部２１が設けられており、この各アーム変形阻止部２１が可撓性係止アーム部（図示せず）と端子収容室５の上面との間の撓み空間に介在されている。一方の側面プレート部１６の上面には仮係止突起２２が設けられ、側面には本係止突起２３が設けられている。
【００２５】
又、ハウジング３の外周壁７とフロントホルダ４の上面プレート部１７との間には、ハウジング３の外周壁７の撓みを防止する撓み防止係止手段２５Ａが設けられている。この撓み防止係止手段２５Ａは、ハウジング３の上面側の外周壁７に設けられたメイン及びサブの計３個のアリ溝２６ａ，２６ｂと、上面プレート部１７の上面に突設され、フロントホルダ４のハウジング３への挿入に際して各アリ溝２６ａ，２６ｂに挿入されるメイン及びサブの計３個の係止突起２７ａ，２７ｂとから構成されている。大きい寸法のメインのアリ溝２６ａは、外周壁７の中央位置で、且つ、アーム部１１を支持する支持部７ａに設けられ、小さい寸法のサブのアリ溝２６ｂは、外周壁７の左右対称位置で、且つ、外周壁７の上面に突設されたガイド突起７ｂに設けられている。又、各アリ溝２６ａ，２６ｂは、フロントホルダ４のハウジング３への挿入方向に向かって徐々に縮小する形状に形成され、係止突起２７ａ，２７ｂがアリ溝２６ａ，２６ｂ内に挿入されるに従って密着の度合いが高まるようになっている。
【００２６】
次に、上記コネクタ１の組み付け作業を説明する。ハウジング３の嵌合面（前面）側よりフロントホルダ４を挿入する。この挿入に際してサブの係止突起２７ｂがサブのアリ溝２６ｂに部分的に挿入される。そして、図２及び図５に示すように、フロントホルダ４の仮係止突起２２がハウジング３内の仮被係止部（図示せず）に係止される位置まで挿入することによって仮係止状態とする。この仮係止状態にあって、ハウジング３の各端子収容室５に後方の開口より各端子金具（図示せず）を挿入する。すると、端子金具の挿入先端が可撓性係止アーム部（図示せず）に当接し、この状態より更に端子金具を挿入すると、可撓性係止アーム部の自由端側が撓み空間に弾性変形して端子金具の挿入が許容される。端子金具が適正な挿入位置まで挿入されると、可撓性係止アーム部の自由端側が端子金具の被係止部（図示せず）の位置に一致し弾性復帰変形して端子金具に係止する。
【００２７】
次に、ハウジング３の嵌合面（前面）側で仮係止状態とされたフロントホルダ４をハウジング３内に更に挿入する。すると、サブの係止突起２７ｂがアリ溝２６ｂに更に深く挿入されると共に、メインの係止突起２７ａがメインのアリ溝２６ａに挿入される。そして、図１に示すように、フロントホルダ４の本係止突起２３がハウジング３の本被係止部１４に係止される位置まで挿入することによって本係止状態とする。このフロントホルダ４の挿入によって各アーム変形阻止部２１が各可撓性係止アーム部と各端子収容室５の上面との間の撓み空間に挿入される。各アーム変形阻止部２１によって各可撓性係止アーム部の撓み変形が規制され、これによって各端子金具の抜けが阻止される。
【００２８】
このように組み付けられたコネクタ１に嵌合面（前面）側より相手コネクタ（図示せず）を嵌合すると、相手コネクタの端子（図示せず）が各端子収容室５に挿入されると共に相手コネクタの被ロック部（図示せず）がロック部１０のアーム部１１の傾斜面１２ａに当接する。この状態より更に相手コネクタが嵌合されると、アーム部１１がＡ矢印方向に撓み変形して相手コネクタの嵌合が許容される。相手コネクタが適正な嵌合位置まで嵌合されると、相手コネクタの端子が端子金具２に電気的な接続状態となると共に、相手コネクタの被ロック部がロック部１０の係止突起部１２を乗り越える位置となってアーム部１１が弾性復帰変形する。これにより、相手コネクタの被ロック部がコネクタ１のロック部１０の係止突起部１２に係止し、嵌合状態の相手コネクタがコネクタ１にロックされる。
【００２９】
又、嵌合状態の相手コネクタとの嵌合を解除するには、ロック部１０の操作部１３をＡ矢印方向に強制的に撓み変形させ、相手コネクタをコネクタ１より引き離せば離間させることができる。
【００３０】
上記した相手コネクタの嵌合時・嵌合解除動作過程にあって、ロック部１０のアーム部１１がＡ矢印方向に撓み変形すると、この撓み変形によってアーム部１１を支持するハウジング３の外周壁７の箇所に外周壁７を上方に変移させるＢ矢印方向の力が作用し、この力によって外周壁７が上方に変移しようとする。この上方への力がアリ溝２６ａ，２６ｂとそれに嵌合された係止突起２７ａ，２７ｂを介してフロントホルダ４に伝達されてフロントホルダ４が外周壁７の変移を阻止する。つまり、外周壁７を上方に変移させる力をハウジング３の外周壁７のみならずフロントホルダ４の上面プレート部１７でも受けることによって外周壁７の変移を阻止する。従って、相手コネクタの嵌合時・嵌合解除時にハウジング３の外周壁７が上方に変移せず、ロック部１０の信頼性が低下したり、相手コネクタのスムーズな嵌合作業・嵌合解除作業が阻害されたりしない。
【００３１】
上記第１実施形態では、各アリ溝２６ａ，２６ｂは、フロントホルダ４のハウジング３への挿入方向に向かって徐々に縮小し、係止突起２７ａ，３７ｂがアリ溝２６ａ，２６ｂ内に挿入されるに従って密着の度合いが高まるように設定したので、アリ溝２６ａ，２６ｂに係止突起２７ａ，２７ｂが挿入される当初は、係止突起２７ａ，２７ｂがアリ溝２６ａ，２６ｂに対し密着することなく挿入されるため、双方に多少の位置ずれがあってもスムーズに挿入される。アリ溝２６ａ，２６ｂに係止突起２７ａ，２７ｂが挿入完了位置まで挿入されると、アリ溝２６ａ，２６ｂと係止突起２７ａ，２７ｂとが大きな密着力によって密着されるため、ハウジング３の外周壁７とフロントホルダ４との間に一切ガタ付きがなくなり、外周壁７のわずかな変移も阻止できる。又、アリ溝２６ａ，２６ｂではなく係止突起２７ａ，２７ｂの方を、フロントホルダ４のハウジング３への挿入方向に向かって徐々に縮小する形状とし、係止突起２７ａ，２７ｂがアリ溝２６ａ，２６ｂ内に挿入されるに従って密着の度合いが高まるように設定しても良い。更に、アリ溝２６ａ，２６ｂと係止突起２７ａ，２７ｂの双方を、フロントホルダ４のハウジング３への挿入方向に向かって徐々に縮小する形状とし、係止突起２７ａ，２７ｂがアリ溝２６ａ，２７ｂ内に挿入されるに従って密着の度合いが高まるように設定しても良い。
【００３２】
図６及び図７は本発明の第２実施形態を示し、図６はハウジング３の斜視図、図７はフロントホルダ４の斜視図である。前記第１実施形態の撓み防止係止手段２５Ａはメインとサブを含めて計３個のアリ溝２６ａ，２７ｂ及び係止突起２７ａ，２７ｂにて構成されていたが、この第２実施形態の撓み防止係止手段２５Ｂは、メインの２個のアリ溝２６ａ及び係止突起２７ａにて構成されている。メインの２つのアリ溝２６ａは、アーム部１１の支持部７ａに設けられている。尚、２８は、本係止突起である。図６及び図７にあって、前記第１実施形態と同一構成箇所には同一符号を付して説明を省略する。
【００３３】
図８及び図９は本発明の第３実施形態を示し、図８はハウジング３の斜視図、図９はフロントホルダ４の斜視図である。前記第１実施形態の撓み防止係止手段２５Ａはメインとサブを含めて計３個のアリ溝２６ａ，２６ｂ及び係止突起２７ａ，２７ｂにて構成されていたが、この第３実施形態の撓み防止係止手段２５Ｃは、メインの３個のアリ溝２６ａ及び係止突起２７ａにて構成されている。中央位置のアリ溝２６ａはアーム部１１の支持部７ａに、左右の２つのアリ溝２６ａは左右の幅広のガイド突起２９にそれぞれ設けられている。図８及び図９にあって、前記第１実施形態と同一構成箇所には同一符号を付して説明を省略する。
【００３４】
図１０及び図１１は本発明の第４実施形態を示し、図１０はハウジング３の斜視図、図１１はフロントホルダ４の斜視図である。前記第１実施形態の撓み防止係止手段２５Ａはメインとサブを含めて計３個のアリ溝２６ａ，２６ｂ及び係止突起２７ａ，２７ｂにて構成されていたが、この第４実施形態の撓み防止係止手段２５Ｄは、サブの２個のアリ溝２６ｂ及び係止突起２７ｂにて構成されている。他の構成は前記第１実施形態と同様であり、図１０及び図１１にあって、前記第１実施形態と同一構成箇所には同一符号を付して説明を省略する。
【００３５】
上記した第２〜第４実施形態においても、第１実施形態と同様に、相手コネクタの嵌合時・嵌合解除時にハウジング３の外周壁７が上方に変移せず、ロック部１０の信頼性が低下したり、相手コネクタのスムーズな嵌合作業・嵌合解除作業が阻害されたりしない。
【００３６】
又、上記第１〜第３実施形態では、撓み防止係止手段２５Ａ〜２５Ｃは、アーム部１１を支持する外周壁７の支持部７ａと、この支持部７ａに対応するフロントホルダ４の箇所に設けたので、外周壁７を上方に変移させようとする力Ｂが直接に撓み防止係止手段２５Ａ〜２５Ｃにかかるため、外周壁７の変移を有効に防止できる。
【００３７】
上記第１〜第４実施形態では、撓み防止係止手段２５Ａ〜２５Ｄは、ハウジング３の外周壁７に設けられたアリ溝２６ａ，２６ｂとフロントホルダ４に設けられた係止突起２７ａ，２７ｂとから構成したが、ハウジング３の外周壁７の撓みを防止できる手段であればアリ溝構造以外の構成でも良い。又、撓み防止係止手段２５Ａ〜２５Ｄは、前記第１〜第４実施形態とはアリ溝２６ａ，２６ｂと係止突起２７ａ，２７ｂの配置を逆とし、ハウジング３の外周壁７に係止突起２７ａ，２７ｂを設け、フロントホルダ４にアリ溝２６ａ，２６ｂに設けても良いことはもちろんである。
【００３８】
【発明の効果】
以上説明したように、請求項１の発明によれば、複数の端子金具が内部に収容されるハウジングと、このハウジングの外周壁にアーム部の一端側が支持され、このアーム部の撓み変形により嵌合状態の相手コネクタをロックするロック部と、ハウジングの嵌合面側からハウジングの内部に挿入されて端子金具の抜けを阻止するフロントホルダとを備えたコネクタであって、アーム部が支持された外周壁とフロントホルダとの間に、ハウジングの外周壁の撓みを防止する撓み防止係止手段を設けたので、相手コネクタの嵌合時・嵌合解除時にロック部のアーム部が撓み変形すると、この撓み変形によってアーム部を支持するハウジングの外周壁の箇所に外周壁を上方に変移させる力が作用し、この力によって外周壁が上方に変移しようとすると、この上方への外力が撓み防止係止手段を介してフロントホルダに伝達されてフロントホルダが外周壁の変移を阻止する。従って、相手コネクタの嵌合時・嵌合解除時にハウジングの外周壁が上方に変移せず、ロック部の信頼性が低下したり、相手コネクタのスムーズな嵌合作業・嵌合解除作業が阻害されたりしない。
【００３９】
請求項２の発明によれば、請求項１記載のコネクタであって、撓み防止係止手段は、ハウジングの外周壁とフロントホルダとのいずれか一方に設けられたアリ溝と、他方に設けられ、アリ溝に挿入される係止突起とからなるので、請求項１の発明の効果に加え、ハウジングの外周壁が上方に変移しようとすると、この上方への外力がアリ溝とそれに嵌合された係止突起を介してフロントホルダに伝達されてフロントホルダが外周壁の変移を阻止する。
【００４０】
請求項３の発明によれば、請求項１又は請求項２記載のコネクタであって、アリ溝と係止突起との少なくともいずれか一方は、フロントホルダのハウジングへの挿入方向に向かって徐々に縮小し、係止突起がアリ溝内に挿入されるに従って密着の度合いが高まるように設定したので、請求項１又は請求項２の発明の効果に加え、アリ溝に係止突起が挿入される当初は、係止突起がアリ溝に対し密着することなく挿入されるため、双方に多少の位置ずれがあってもスムーズに挿入され、アリ溝に係止突起が挿入完了位置まで挿入されると、アリ溝と係止突起とが大きな密着力によって密着されるため、ハウジングの外周壁とフロントホルダとの間に一切ガタ付きがなくなり、外周壁のわずかな変移も阻止できる。
【００４１】
請求項４の発明によれば、請求項１〜請求項３記載のコネクタであって、撓み防止係止手段は、アーム部を支持する外周壁の支持部と、この支持部に対応するフロントホルダの箇所に設けたので、請求項１〜請求項３の発明の効果に加え、外周壁を上方に変移させようとする力が直接に撓み防止係止手段にかかるため、外周壁の変移を有効に防止できる。
【図面の簡単な説明】
【図１】本発明の第１実施形態を示し、フロントホルダが本係止状態に位置するコネクタの斜視図である。
【図２】本発明の第１実施形態を示し、フロントホルダが仮係止状態に位置するコネクタの一部破断斜視図である。
【図３】本発明の第１実施形態を示し、ハウジングの斜視図である。
【図４】本発明の第１実施形態を示し、フロントホルダの斜視図である。
【図５】本発明の第１実施形態を示し、フロントホルダが仮係止状態に位置するコネクタの斜視図である。
【図６】本発明の第２実施形態を示し、ハウジングの斜視図である。
【図７】本発明の第２実施形態を示し、フロントホルダの斜視図である。
【図８】本発明の第３実施形態を示し、ハウジングの斜視図である。
【図９】本発明の第３実施形態を示し、フロントホルダの斜視図である。
【図１０】本発明の第４実施形態を示し、ハウジングの斜視図である。
【図１１】本発明の第４実施形態を示し、フロントホルダの斜視図である。
【図１２】従来例を示し、フロントホルダが本係止状態に位置するコネクタの斜視図である。
【図１３】従来例を示し、フロントホルダが本係止状態に位置するコネクタの一部破断斜視図である。
【図１４】従来例を示し、ハウジングの斜視図である。
【図１５】従来例を示し、フロントホルダの斜視図である。
【符号の説明】
１　コネクタ
３　ハウジング
４　フロントホルダ
７　外周壁
７ａ　支持部
１０　ロック部
１１　アーム部
２５Ａ〜２５Ｄ　撓み防止係止手段
２６ａ，２６ｂ　アリ溝
２７ａ，２７ｂ　係止突起
【図１】
2004063353.tif 000003
【図２】
2004063353.tif 000004
【図３】
2004063353.tif 000005
【図４】
2004063353.tif 000006
【図５】
2004063353.tif 000007
【図６】
2004063353.tif 000008
【図７】
2004063353.tif 000009
【図８】
2004063353.tif 000010
【図９】
2004063353.tif 000011
【図１０】
2004063353.tif 000012
【図１１】
2004063353.tif 000013
【図１２】
2004063353.tif 000014
【図１３】
2004063353.tif 000015
【図１４】
2004063353.tif 000016
【図１５】
2004063353.tif 000017